(57)【要約】  液滴吐出装置であって、  作動要素のアレイと、対応するノズルのアレイと、を備える、液滴堆積ヘッドと、  作動回路であって、前記作動要素に駆動波形を適用するように構成されており、それにより前記ヘッドに対して相対的に移動される堆積媒体上への前記ノズルのアレイを通して前記液滴の形態の流体の前記吐出を引き起こす、作動回路と、  ヘッドコントローラ回路であって、    吐出データの入力セットを受信するように、    入力セットに基づいて吐出データの一連のサブセットを生成するように、    吐出データの一連のサブセットを当該作動回路に送信するように構成されている、ヘッドコントローラ回路と、を備え、  前記作動回路が、吐出データの各サブセットに対して、それらが１つ以上のノズルから液滴を繰り返し吐出し、それにより連続する液滴の列を堆積するように、前記作動要素に駆動波形を適用するようにさらに構成されており、前記１つ以上のノズルおよびそこから吐出された前記液滴のサイズが、前記吐出データの現在のサブセットによって決定され、前記１つ以上のノズルの各々が、実質的に一定の頻度１／Ｔで液滴を吐出し、  装置が、堆積媒体に関するヘッドの相対移動の現在の速度を示す、堆積媒体速度データを受信するように構成されており、  前記装置は、前記ヘッドが、吐出データの現在のサブセットに従って液滴を吐出することから、前記媒体速度データに従って決定された時間において、前記一連における吐出データの連続サブセットに従って液滴を吐出することに切り替わるように構成されており、吐出データの連続するサブセットに従って液滴を吐出し始める時間間隔が、前記ヘッドの相対移動の前記現在の速度に反比例して変化する、液滴吐出装置。【選択図】図１
2020535035.tif 000002
【特許請求の範囲】
【請求項１】
液滴吐出装置であって、
作動要素のアレイと、対応するノズルのアレイと、を備える、液滴堆積ヘッドと、
作動回路であって、前記作動要素に駆動波形を適用するように構成されており、それにより前記ヘッドに対して相対的に移動される堆積媒体上への前記ノズルのアレイを通して前記液滴の形態の流体の前記吐出を引き起こす、作動回路と、
ヘッドコントローラ回路であって、
吐出データの入力セットを受信するように、
前記入力セットに基づいて、吐出データの一連のサブセットを生成するように、かつ、
前記吐出データの一連のサブセットを前記作動回路に送信するように構成されている、ヘッドコントローラ回路と、を備え、
前記作動回路が、吐出データの各サブセットに対して、それらが１つ以上のノズルから液滴を繰り返し吐出し、それにより連続する液滴の列を堆積するように、前記作動要素に駆動波形を適用するようにさらに構成されており、前記１つ以上のノズルおよびそこから吐出された前記液滴のサイズが、前記吐出データの現在のサブセットによって決定され、前記１つ以上のノズルの各々が、実質的に一定の頻度１／Ｔで液滴を吐出し、
前記装置が、前記堆積媒体に関する前記ヘッドの相対移動の現在の速度を示す、堆積媒体速度データを受信するように構成されており、
前記装置は、前記ヘッドが、吐出データの現在のサブセットに従って液滴を吐出することから、前記媒体速度データに従って決定された時間において、前記一連における吐出データの連続サブセットに従って液滴を吐出することに切り替わるように構成されており、吐出データの連続するサブセットに従って液滴を吐出し始める時間間隔が、前記ヘッドの相対移動の前記現在の速度に反比例して変化する、液滴吐出装置。
【請求項２】
前記ヘッドコントローラ回路が、前記堆積媒体速度データを受信するように構成されており、
好ましくは、前記ヘッドコントローラ回路が、前記堆積媒体速度データに示された前記堆積媒体に関する前記ヘッドの相対移動の前記現在の速度に従って決定された時間において、前記作動回路に吐出データの各サブセットを送信するようにさらに構成されており、吐出データの連続するサブセットを送信する前記時間間隔が、前記ヘッドの相対移動の前記現在の速度とは略反比例し、
前記作動回路が、吐出データのサブセットを受信すると、次に利用可能な機会において、吐出データの当該サブセットに従って前記作動要素に駆動波形を適用するように構成されている、請求項１に記載の装置。
【請求項３】
前記吐出データの入力セットが、液滴吐出値の二次元アレイを表し、
前記一連における吐出データの連続サブセットが、前記二次元アレイの連続するスライスに基づいて決定され、
好ましくは、前記二次元アレイの前記スライスの各々が、一次元アレイである、請求項１または２に記載の装置。
【請求項４】
吐出データの各サブセットが、各ノズルに対して、当該ノズルによって吐出される液滴の前記サイズに対応する値を定義し、各液滴サイズ値が、吐出無しに対応する０〜最大液滴サイズに対応するＭである、請求項１〜３のいずれか１項に記載の装置。
【請求項５】
各液滴サイズ値が、０〜Ｍの任意の整数値を取り得る、請求項４に記載の装置。
【請求項６】
各液滴サイズ値が、０またはＭのいずれかであり得、任意選択的にＭ＝１である、請求項４に記載の装置。
【請求項７】
前記ヘッドコントローラ回路が、前記吐出データの一連のサブセットを前記作動回路に送信する前に、前記吐出データの一連のサブセットの実質的に全体を生成するように構成されている、請求項１〜６のいずれか１項に記載の装置。
【請求項８】
前記作動回路は、液滴を吐出する前記１つ以上のノズルのうちの少なくとも１つがＭｘ滴を吐出すると、前記吐出データの現在のサブセットによって決定された液滴の前記繰り返し吐出を中止するようにさらに構成されており、Ｍｘが、液滴の最大数に対応する、請求項１〜７のいずれか１項に記載の装置。
【請求項９】
前記作動回路が、「停止」コマンドに応答して、前記吐出データの現在のサブセットによって決定された前記液滴の繰り返し吐出を中止するようにさらに構成されている、請求項１〜８のいずれか１項に記載の装置。
【請求項１０】
前記吐出データの現在のサブセットに従って液滴を繰り返し吐出する前記１つ以上のノズルの各々に対して、問題となる前記ノズルから吐出された各液滴が、実質的に同じサイズである、請求項１〜９のいずれか１項に記載の装置。
【請求項１１】
吐出データの連続するサブセットに従って、液滴を吐出する各ノズルに対して、前のセットから生じる最終の液滴と、後のセットから生じる最初の液滴との間の前記時間間隔が実質的にＴに等しい、請求項１〜１０のいずれか１項に記載の装置。
【請求項１２】
吐出データの各サブセットに応答して、前記ヘッドが作動サイクルに従って動作し、その間、前記吐出データの現在のサブセットによって決定された前記１つ以上のノズルの各々が液滴を吐出し、
前記作動回路が、吐出データの現在のサブセットに従って、前記作動要素に駆動波形を適用しながら吐出データのさらなるサブセットを受信する場合、前記作動回路が、前記吐出データのさらなるサブセットに従って、前記作動要素に駆動波形を適用する前に、現在の作動サイクルが完了するまで待機するようにさらに構成されており、
任意選択的に、前記作動回路が、前記現在の作動サイクルが完了するまで、そのような各吐出データのさらなるサブセットを保存するように構成されたバッファを備える、請求項１〜１１のいずれか１項に記載の装置。
【請求項１３】
作動サイクルに従って前記作動要素に適用された前記駆動波形の全てが、時間内に、好ましくは、実質的に完全にオーバーラップする、請求項１２に記載の装置。
【請求項１４】
作動要素のアレイと、対応するノズルのアレイと、を備える、液滴堆積ヘッドのための制御回路であって、
吐出データの入力セットを受信するように、
前記入力セットに基づいて吐出データの一連のサブセットを生成するように、
前記堆積媒体に関する前記ヘッドの相対移動の前記現在の速度を示す、堆積媒体速度データを受信するように、かつ、
前記吐出データの一連のサブセットおよびそれぞれの吐出コマンドを、前記液滴堆積ヘッドの作動回路に送信するように構成されており、前記吐出コマンドが、前記堆積媒体速度データに示されている前記堆積媒体に関する前記ヘッドの相対移動の前記現在の速度に従って決定された時間において送信され、吐出データの連続するサブセットを送信する時間間隔が、前記ヘッドの相対移動の前記現在の速度とは略反比例して変化し、
前記作動回路が、吐出コマンドの各セットに対して、１つ以上の前記ノズルから液滴を繰り返し吐出し、それにより連続する液滴の列を堆積するように、前記作動要素に駆動波形を適用するように構成されており、前記１つ以上のノズルおよびそこから吐出された前記液滴のサイズが、前記吐出データの現在のサブセットによって決定され、前記１つ以上のノズルの各々が、実質的に一定の頻度１／Ｔで液滴を吐出する、制御回路。
【請求項１５】
吐出データの各サブセットが、前記それぞれの作動コマンドとして黙示的に機能する、請求項１４に記載の制御回路。
【請求項１６】
吐出データの各サブセットが、前記対応する作動コマンドと同時に送信される、請求項１４に記載の制御回路。
【請求項１７】
前記吐出データの入力セットが、液滴吐出値の二次元アレイを表し、
前記一連における吐出データの連続サブセットが、前記二次元アレイの連続するスライスに基づいて決定され、
好ましくは、前記二次元アレイの前記スライスの各々が、一次元アレイである、請求項１４〜１６のいずれか１項に記載の制御回路。
【請求項１８】
吐出データの各サブセットが、各々のノズルに対して、当該ノズルによって吐出される液滴の前記サイズに対して対応する値を定義し、各液滴サイズ値が、吐出無しに対応する０〜最大液滴サイズに対応するＭである、請求項１４〜１７のいずれか１項に記載の制御回路。
【請求項１９】
前記吐出データの一連のサブセットを前記作動回路に送信する前に、前記吐出データの一連のサブセットの実質的に全体を生成するように構成されている、請求項１４〜１８のいずれか１項に記載の制御回路。
【請求項２０】
作動要素のアレイと、対応するノズルのアレイと、を備える、液滴堆積ヘッドのための作動制御回路であって、
吐出データの入力セットに基づく、吐出データの一連のサブセットの各々を受信するように構成されており、
トリガ信号を受信するように構成されており、
前記吐出データのサブセットの各々に対して、前記液滴堆積ヘッドに対する波形生成回路へ、対応する作動コマンドのセットを繰り返し送信するように構成されており、作動コマンドの各セットが、１つ以上のノズルからの液滴を吐出するように、前記波形生成回路に、前記作動要素への駆動波形の適用を引き起こし、前記１つ以上のノズルおよびそこから吐出された前記液滴のサイズが、前記吐出データの対応するサブセットによって決定され、前記作動コマンドのセットを前記繰り返し送信することが、前記１つ以上のノズルの各々の実質的に一定の頻度１／Ｔでの液滴の繰り返し吐出を引き起こし、それにより連続する液滴の列を堆積し、かつ、
吐出データの現在のサブセットに従って作動コマンドを送信することから、前記トリガ信号に従って決定された時間において、前記一連における吐出データの連続サブセットに従って作動コマンドを送信することに切り替わるように、構成されている、作動制御回路。
【請求項２１】
吐出データの各サブセットの到着が、対応するトリガ信号として黙示的に機能し、前記作動制御回路が、次に利用可能な機会において、前記吐出データのサブセットに従って作動コマンドのセットの送信開始を引き起こす、請求項２０に記載の作動制御回路。
【請求項２２】
前記トリガ信号が、前記堆積媒体に関する前記ヘッドの相対移動の前記現在の速度を示す、堆積媒体速度データによって提供され、
前記作動制御回路が、吐出データの現在のサブセットに従って作動コマンドを送信することから、前記媒体速度データに従って決定された時間において、前記一連における吐出データの連続サブセットに従って、作動コマンドを送信することに切り替わるように構成されており、吐出データの連続するサブセットに従って作動コマンドを送信し始める時間間隔が、前記ヘッドの相対移動の前記現在の速度に反比例して変化する、請求項２０に記載の作動制御回路。
【請求項２３】
液滴を吐出する前記１つ以上のノズルのうちの少なくとも１つがＭｘ滴を吐出すると、作動コマンドのセットを繰り返し送信することを中止するように構成されており、Ｍｘが、液滴の最大数に対応する、請求項２０〜２２のいずれか１項に記載の作動制御回路。
【請求項２４】
「停止」コマンドに応答して、作動コマンドのセットを繰り返し送信することを中止するように構成されている、請求項２０〜２３のいずれか１項に記載の作動制御回路。
【請求項２５】
吐出コマンドのセットに応答して液滴を繰り返し吐出する前記１つ以上のノズルの各々に対して、問題となる前記ノズルから吐出された各液滴が、実質的に同じサイズであり、
作動コマンドの各セットに応答して、前記ヘッドが作動サイクルに従って動作し、その間、前記現在の作動コマンドによって決定された前記１つ以上のノズルの各々が液滴をする、請求項２０〜２４いずれか１項に記載の作動制御回路。
【請求項２６】
吐出データの現在のサブセットに従って、作動コマンドを前記波形生成回路に送信しながら吐出データのさらなるサブセットを受信する場合、前記作動制御回路が、前記吐出データのさらなるサブセットに従って、作動コマンドを前記波形生成回路に送信する前に、前記現在の作動サイクルが完了するまで待機するように構成されており、
任意選択的に、前記作動制御回路が、前記現在の作動サイクルが完了するまで、そのような各吐出データのさらなるサブセットを保存するように構成されたバッファを備える、請求項２５に記載の作動制御回路。
【請求項２７】
作動要素のアレイと、対応するノズルのアレイと、を備える、液滴堆積ヘッドのための作動回路であって、
吐出データの入力セットに基づく、吐出データの一連のサブセットの各々を受信するように構成されており、
トリガ信号を受信するように構成されており、
１つ以上のノズルから液滴の前記繰り返し吐出を引き起こし、それにより連続する液滴の列を堆積するように、前記作動要素に対する駆動波形を生成するように構成されており、前記１つ以上のノズルおよびそこから吐出された前記液滴のサイズが、前記吐出データの現在のサブセットによって決定され、前記１つ以上のノズルの各々は、実質的に一定の頻度１／Ｔで液滴を吐出し、かつ、
吐出データの現在のサブセットに従って駆動波形を生成することから、前記トリガ信号に従って決定された時間において、前記一連における吐出データの連続サブセットに従って駆動波形を生成することへ切り替えるように、構成されている、作動回路。
【請求項２８】
吐出データの各サブセットの前記到着が、対応するトリガ信号として黙示的に機能し、前記作動回路が、次に利用可能な機会において、吐出データの当該サブセットに従って駆動波形の生成の開始を引き起こす、請求項２７に記載の作動回路。
【請求項２９】
前記トリガ信号が、前記堆積媒体に関する前記ヘッドの相対移動の前記現在の速度を示す、堆積媒体速度データによって提供され、
前記作動回路が、吐出データの現在のサブセットに従って駆動波形を生成することから、前記媒体速度データに従って決定された時間において、前記一連における吐出データの連続サブセットに従って、駆動波形を生成することに切り替わるように構成されており、吐出データの連続するサブセットに従って駆動波形を生成し始める時間間隔が、前記ヘッドの相対移動の前記現在の速度に反比例して変化する、請求項２７に記載の作動回路。
【請求項３０】
液滴を吐出する前記１つ以上のノズルのうちの少なくとも１つがＭｘ滴を吐出すると、駆動波形を生成することを中止するように構成されており、Ｍｘが、液滴の最大数に対応する、請求項２７〜２９のいずれか１項に記載の作動回路。
【請求項３１】
「停止」コマンドに応答して、駆動波形を生成することを中止するように構成されている、請求項２７〜３０のいずれか１項に記載の作動回路。
【請求項３２】
前記吐出データの現在のサブセットに従って液滴の繰り返し吐出が引き起こされる前記１つ以上のノズルの各々に対して、問題となる前記ノズルから吐出された各液滴が、実質的に同じサイズである、請求項２７〜３１のいずれか１項に記載の作動回路。
【請求項３３】
吐出データの各サブセットに対して、駆動波形が作動サイクルに従って生成され、その間、前記吐出データの現在のサブセットによって決定された前記１つ以上のノズルの各々が液滴を吐出し、
かつ、前記作動回路が、吐出データの現在のサブセットに従って、駆動波形を生成しながら吐出データのさらなるサブセットを受信する場合、前記作動回路が、前記吐出データのさらなるサブセットに従って、駆動波形を生成する前に、前記現在の作動サイクルが完了するまで待機するようにさらに構成されており、
任意選択的に、前記作動回路が、前記現在の作動サイクルが完了するまで、そのような各吐出データのさらなるサブセットを保存するように構成されたバッファを備える、請求項２７〜３２のいずれか１項に記載の作動回路。
【請求項３４】
作動要素のアレイおよび対応するノズルのアレイを備える、液滴堆積ヘッドを使用して、液滴を吐出するための方法であって、
吐出データの入力セットを受信することと、
前記入力セットに基づいて吐出データの一連のサブセットを生成することと、
堆積媒体に関する前記ヘッドの相対移動の前記現在の速度を示す、堆積媒体速度データを受信することと、
前記ヘッドを前記堆積媒体に対して移動させながら、前記ヘッドを吐出データの各サブセットに従って順番に動作することであって、
吐出データの各サブセットに対して、液滴の連続する列を堆積するように前記アレイ内の１つ以上のノズルから液滴を繰り返し吐出することであって、前記１つ以上のノズルおよびそこから吐出された前記液滴のサイズが、前記吐出データの現在のサブセットによって決定され、前記１つ以上のノズルの各々は、実質的に一定の頻度１／Ｔで液滴を吐出する、ことと、かつ、
ある吐出データのサブセットに従って液滴を吐出することから、前記媒体速度データによって示された、前記堆積媒体に関する前記ヘッドの相対移動の前記現在の速度に従って決定された時間において、吐出データの前記連続サブセットに従って液滴を吐出することに切り替わること、とを含む、動作すること、とを含み、吐出データの連続するサブセットに従って液滴を吐出し始める時間間隔が、前記ヘッドの相対移動の前記現在の速度に反比例して変化する、方法。
【請求項３５】
前記吐出データの入力セットが、液滴吐出値の二次元アレイを表し、
前記一連における吐出データの連続サブセットが、前記二次元アレイの連続するスライスに基づいて決定され、
好ましくは、前記二次元アレイの前記スライスの各々が、一次元アレイである、請求項３４に記載の方法。
【請求項３６】
吐出データの各サブセットが、各々のノズルに対して、当該ノズルによって吐出される前記液滴のサイズに対して対応する値を定義し、各液滴サイズ値が、吐出無しに対応する０〜最大液滴サイズに対応するＭである、請求項３４または３５に記載の方法。
【請求項３７】
前記吐出データの一連のサブセットを前記作動回路に送信する前に、前記吐出データの一連のサブセット全体が実質的に生成される、請求項３４〜３６のいずれか１項に記載の方法。
【請求項３８】
液滴を吐出する前記１つ以上のノズルのうちの少なくとも１つがＭｘ滴を吐出すると、前記吐出データの現在のサブセットによって決定された前記液滴の繰り返し吐出を中止することを、さらに含み、Ｍｘが、液滴の最大数に対応する、請求項３４〜３７のいずれか１項に記載の方法。
【請求項３９】
「停止」コマンドに応答して、前記吐出データの現在のサブセットによって決定された前記液滴の繰り返し吐出を中止することを、さらに含む、請求項３４〜３８のいずれか１項に記載の方法。
【請求項４０】
前記吐出データの現在のサブセットに従って液滴を繰り返し吐出する前記１つ以上のノズルの各々に対して、問題となる前記ノズルから吐出された各液滴が、実質的に同じサイズである、請求項３４〜３９のいずれか１項に記載の方法。
【請求項４１】
吐出データの連続するサブセットに従って、液滴を吐出する各ノズルに対して、前のセットから生じる前記最終の液滴と、後のセットから生じる前記最初の液滴との間の前記時間間隔が実質的にＴに等しい、請求項３４〜４０のいずれか１項に記載の方法。
【請求項４２】
吐出データの各サブセットに応答して、前記ヘッドが作動サイクルに従って動作し、その間、前記吐出データの現在のサブセットによって決定された前記１つ以上のノズルの各々が液滴を吐出する、請求項３４〜４１のいずれか１項に記載の方法。
【発明の詳細な説明】
【技術分野】
【０００１】
本発明は、液滴吐出のための方法および装置、ならびにそれに用いる回路に関連する。本発明は、インクジェットプリントヘッド等のプリントヘッドおよびそれに用いる回路を含むプリンタにおいて、特に有益な用途を見出し得る。
【背景技術】
【０００２】
インクジェット印刷等のより伝統的な用途、または３Ｄ印刷、または他の材料堆積もしくは迅速なプロトタイピング技法にかかわらず、液滴堆積ヘッドが現在広く使用されている。したがって、流体は、新たな基板に付着し、かつ堆積した材料の機能性を増加させる新規の化学特性を有し得る。
【０００３】
近年、高い信頼性およびスループットでインクをセラミックタイルに直接堆積させることができるインクジェットプリントヘッドが開発されている。これは、タイル上のパターンが顧客の正確な仕様になるようにカスタマイズされることを可能にし、全てのタイルを在庫する必要性を低減することも可能にする。
【０００４】
他の用途では、インクを織物に直接堆積させることができるインクジェットプリントヘッドが開発されている。セラミック用途と同様に、これは、織物上のパターンが顧客の正確な仕様になるようにカスタマイズされることを可能にし、全ての印刷された織物を在庫する必要性を低減することも可能にする。
【０００５】
さらに他の用途では、液滴堆積ヘッドは、フラットスクリーンテレビ製造で使用されるＬＣＤまたはＯＬＥＤ素子ディスプレイにおける色フィルタ等の素子を形成するために使用され得る。
【０００６】
新たなおよび／またはますます困難な堆積用途に好適になるように、液滴堆積ヘッドが進化および特殊化し続けている。しかしながら、数々の開発が行われてきたが、液滴堆積ヘッドの分野における改善の余地が依然として存在する。
【発明の概要】
【０００７】
本発明の態様が、添付の特許請求の範囲に記載される。
【０００８】
以下の開示は、作動要素のアレイと、対応するノズルのアレイとを備える液滴堆積ヘッドと、作動要素に駆動波形を適用するように構成されており、それによりヘッドに対して相対的に移動される堆積媒体上のノズルのアレイを通る液滴の形態の流体の吐出を引き起こす作動回路と、吐出データの入力セットを受信し、入力セットに基づいて吐出データの一連のサブセットを生成し、吐出データの一連のサブセットを作動回路に送信するように構成されているヘッドコントローラ回路と、を備える液滴吐出装置を記載するものである。
【０００９】
作動回路が、吐出データの各サブセットに対して、それらが１つ以上のノズルから液滴を繰り返し吐出し、それにより連続する液滴の列を堆積するように、作動要素に駆動波形を適用するようにさらに構成されており、１つ以上のノズルおよびそこから吐出された液滴のサイズが、吐出データの現在のサブセットによって決定され、１つ以上のノズルの各々が、実質的に一定の頻度１／Ｔで液滴を吐出する。装置は、堆積媒体に関するヘッドの相対移動の現在の速度を示す、堆積媒体速度データを受信するよう構成されている。装置は、ヘッドが、吐出データの現在のサブセットに従って液滴を吐出することから、媒体速度データに従って決定された時間において、一連における吐出データの連続サブセットに従って液滴を吐出することに切り替わるようにさらに構成されており、吐出データの連続するサブセットに従って液滴を吐出し始める時間間隔が、ヘッドの相対移動の現在の速度に反比例して変化する。
【００１０】
以下の開示はまた、作動要素のアレイと、ノズルの対応するアレイを備える液滴堆積ヘッドの制御回路について記載し、制御回路は、吐出データの入力セットを受信するように、入力セットに基づいて吐出データの一連のサブセットを生成するように、堆積媒体に関するヘッドの相対移動の現在の速度を示す堆積媒体速度データを受信するように、吐出データの一連のサブセットおよび各々の吐出コマンドを、液滴堆積ヘッドの作動回路に送信するように構成されており、吐出コマンドが、堆積媒体速度データに示されている堆積媒体に関するヘッドの相対移動の現在の速度に従って決定された時間において送信され、吐出データの連続するサブセットを送信することの時間間隔が、ヘッドの相対移動の現在の速度とは略反比例して変化する。
【００１１】
以下の開示は、作動要素のアレイと、ノズルの対応するアレイを備える液滴堆積ヘッドの作動制御回路についてさらに記載し、作動制御回路は、吐出データの入力セットに基づく、吐出データの一連のサブセットの各々を受信するように構成され、トリガ信号を受信するように構成され、吐出データのサブセットの各々に対して、液滴堆積ヘッドに対して波形生成回路を対応する作動コマンドのセットに繰り返し送信するように構成され、作動コマンドの各セットが、１つ以上のノズルからの液滴を吐出するように、波形生成回路に、作動要素への駆動波形の適用を引き起こし、１つ以上のノズルおよびそこから吐出された液滴のサイズが、吐出データの対応するサブセットによって決定され、作動コマンドのセットを繰り返し送信することにが、１つ以上のノズルの各々の実質的に一定の頻度１／Ｔでの液滴の繰り返し吐出を引き起こし、それにより連続する液滴の列を堆積し、かつ、吐出データの現在のサブセットに従って作動コマンドを送信することから、トリガ信号に従って決定された時間において、一連における吐出データの連続サブセットに従って作動コマンドを送信することに切り替わるように構成されている。
【００１２】
またさらに、以下の開示は、作動要素のアレイと、ノズルの対応するアレイを備える液滴堆積ヘッドの作動回路についてさらに記載し、作動回路は、吐出データの入力セットに基づく、吐出データの一連のサブセットの各々を受信するように構成され、トリガ信号を受信するように構成され、１つ以上のノズルから液滴の繰り返し吐出を引き起こし、それにより連続する液滴の列を堆積するように、作動要素に対する駆動波形を生成するように構成され、１つ以上のノズルおよびそこから吐出された液滴のサイズが、吐出データの現在のサブセットによって決定され、１つ以上のノズルの各々は、実質的に一定の頻度１／Ｔで液滴を吐出し、かつ、吐出データの現在のサブセットに従って駆動波形を生成することから、トリガ信号に従って決定された時間において、一連における吐出データの連続サブセットに従って駆動波形を生成することに切り替えるように構成されている。
【００１３】
さらに、以下の開示は、作動要素のアレイおよび対応するノズルのアレイを備える、液滴堆積ヘッドを使用して、液滴を吐出するための方法について記載し、方法は、吐出データの入力セットを受信することと、入力セットに基づいて吐出データの一連のサブセットを生成することと、堆積媒体に関するヘッドの相対移動の現在の速度を示す、堆積媒体速度データを受信することと、ヘッドを堆積媒体に対して移動させながら、ヘッドを吐出データの各サブセットに従って順番に動作することであって、吐出データの各サブセットに対して、液滴の連続する列を堆積するようにアレイ内の１つ以上のノズルから液滴を繰り返し吐出し、１つ以上のノズルおよびそこから吐出された液滴のサイズが、吐出データの現在のサブセットによって決定され、１つ以上のノズルの各々は、実質的に一定の頻度１／Ｔで液滴を吐出する、ことと、かつ、ある吐出データのサブセットに従って液滴を吐出することから、媒体速度データによって示された、堆積媒体に関するヘッドの相対移動の現在の速度に従って決定された時間において、吐出データの連続サブセットに従って液滴を吐出することに切り替えることを含む動作すること、とを含み、吐出データの連続するサブセットに従って液滴を吐出し始める時間間隔が、ヘッドの相対移動の現在の速度に反比例して変化する。
【００１４】
多様な用途の材料要求に合致させるために、広範囲の代替流体が、本明細書に記載される液滴堆積ヘッドにより堆積され得る。たとえば、液滴堆積ヘッドは、一枚の紙もしくはカード、または他の受容媒体、たとえば、織物もしくは箔もしくは成形物品（たとえば、缶、ボトル等）に移動し得るインクの液滴を吐出して、（液滴堆積ヘッドがインクジェットプリントヘッドであり得、より具体的には、ドロップオンデマンドのインクジェットプリントヘッドであり得る）インクジェット印刷用途の場合と同様に、画像を形成し得る。
【００１５】
あるいは、流体の液滴を使用して構造体を構築することができ、たとえば電気的に活性な流体を受容媒体、たとえば回路基板上に堆積させて電気デバイスのプロトタイピングを可能にすることができる。
【００１６】
別の例では、（３Ｄ印刷の場合のように）物体のプロトタイプモデルを生成するように、ポリマー含有流体または溶融ポリマーを、連続した層で堆積し得る。
【００１７】
さらに他の用途では、液滴堆積ヘッドは、生体物質または化学物質を含有する溶液の液滴をマイクロアレイなどの受容媒体上に堆積させるように適合され得る。
【００１８】
問題の特定の流体を扱えるようにいくつかの改造を行うと、このような別の流体に好適な液滴堆積ヘッドは、プリントヘッドと概して構造が同様であることができる。
以下の開示に記載される液滴堆積ヘッドは、ドロップオンデマンド液滴堆積ヘッドであり得る。かかるヘッドにおいて、吐出された液滴のパターンは、ヘッドに提供される入力データによって異なる。
【００１９】
ここで図面を参照する。
【図面の簡単な説明】
【００２０】
【図１】第１の例示的な実施形態による液滴堆積装置を概略的に示すブロック図である。
【図２Ａ】吐出データの特定の一連のサブセットに従って、図１の液滴堆積装置によって、液滴が吐出される時点を示す図である。
【図２Ｂ】図２Ａにおいて図示された吐出が堆積される基板上の位置を示す図である。
【図３Ａ】図３Ａおよび図３Ｂと吐出データの同じ一連のサブセットに従って、図１の液滴堆積装置によって液滴が吐出される時点を示す図であるが、堆積媒体に関するヘッドの相対移動の速度が、時間に関する異なる方法で変化する状況のものである。
【図３Ｂ】図３Ａにおいて図示された吐出が堆積される基板上の位置を示す図である。
【図４】媒体搬送システムおよびサーバを含む液滴堆積装置のさらなる例示的な実施形態を図示するブロック図である。
【図５】作動回路が２つの別個の構成要素によって提供される、液滴堆積装置のさらなる例示的な実施形態を示すブロック図である。
【図６】作動回路が２つの別個の構成要素によって提供されるが、図５に示すものとは異なる配置で提供される、液滴堆積装置のさらなる例示的実施形態を示すブロック図である。
【発明を実施するための形態】
【００２１】
まず図１に注目すると、図１は、例示的な実施形態による液滴吐出装置を概略的に示すブロック図である。
【００２２】
図１から分かるように、液滴堆積装置は、液滴堆積ヘッド１０、ならびに関連する作動回路１００およびヘッドコントローラ回路２００を含む。図１に示す特定の例示的な実施形態では、作動回路１００は、ヘッド１０の一部を形成するが、これは必須ではなく、他の実施形態では、作動回路１００は、ヘッド１０とは別に（オフボードで）提供されてもよい。
【００２３】
図１からも分かるように、ヘッド１０は、作動要素２２（１）〜２２（Ｎ）のアレイと、ノズル１８（１）〜１８（Ｎ）の対応するアレイとを含む。図１に示す特定の例示的な実施形態において、各作動要素２２に対して各々のノズル１８が設けられているが、これは決して必須であるという意味ではなく、たとえば、代わりに各作動要素２２に２つ（またはそれ以上）のノズルを設けることができ、あるいは逆に、各ノズル１８に対して、２つ（またはおそらくそれ以上）の作動要素２２を設けてそこから液滴の吐出を引き起こし得る。
【００２４】
作動要素２２は、たとえば、圧電作動要素などの任意の好適なタイプであってもよい。それにもかかわらず、静電作動要素など、他のタイプの電気機械作動要素が利用され得る。実際、作動素子は、電気機械的である必要はなく、それらは、たとえば、抵抗素子等の熱性作動素子であってもよい。
【００２５】
図１には示されていないが、ヘッドは各作動要素２２に対する各々の流体チャンバーを含んでもよく、流体チャンバーのアレイを設けるようにして、各作動要素２２は対応する流体チャンバーから流体の吐出を引き起こす。電気機械的作動要素２２が採用される場合、これは、対応するチャンバーうちの１つに対応する境界となる壁を変形させることにより機能し得る。そして、このような変形は、チャンバー内の流体の圧力を増加させ、それによってノズルからの流体の液滴を吐出させることができる。各々の変形可能な壁の各々は、たとえば、変形可能な膜によって提供されてもよく、またはアレイ内の隣接するチャンバーを分離してもよく、電気機械作動要素２２のうちの１つを含んでもよい。
【００２６】
それにもかかわらず、ヘッドが各作動要素２２に対する各々の流体チャンバーを含むことは決して必須であるという意味ではなく、他の実施形態では、共通の流体チャンバーは、複数の作動要素２２および複数のノズル１８によって共有され得る。
【００２７】
その機能の観点から、作動回路１００は、ヘッド１０の作動要素２２（１）〜２２（Ｎ）に駆動波形を適用するように構成されており、それによって、ノズルのアレイ１８（１）〜１８（Ｎ）を通る液滴の形態の流体の吐出を引き起こす。これは、図１における隣接するノズル１８（２）、１８（３）、１８（Ｎ−１）および１８（Ｎ）に示されている液滴から明らかである。液滴が吐出される間、ヘッド１０は堆積媒体（たとえば、紙、ラベル、セラミックタイル、ボトルなど）に対して移動し、その上に堆積された液滴のパターンを形成する。
【００２８】
ここで、図１から明らかなように、ヘッドコントローラ回路２００の機能を考慮すると、この回路２００は、吐出データ６１０の入力セットを受信するように構成されている。ヘッドコントローラ回路２００は、この入力セット６１０を使用して、吐出データ２１０（１）〜２１０（３）のサブセットを生成する。より具体的には、入力セット６１０に基づいて、吐出データ２１０（１）〜２１０（３）の一連のサブセットを生成する。次に、ヘッドコントローラ回路２００は、この一連の吐出データのサブセットを作動回路１００に送信し、作動回路は、一連における吐出データのサブセット２１０（１）〜２１０（３）の各々に基づいて、順番に液滴の堆積を引き起こしていく。次に、図２Ａ〜図２Ｂおよび図３Ａ〜図３Ｂを参照して、そのような液滴の堆積についてより詳細に説明する。
【００２９】
まず、図２Ａに注目すると、図２Ａは、縦軸に、ヘッド１０のノズルアレイ内のノズル１８（１）〜１８（７）を示し、横軸に、時間を示す。液滴がノズルから吐出される時点は、図面の黒丸で示されている。加えて、図の上部にあるいくつかの矢印は、駆出データ２１０（１）〜２１０（５）の各サブセットが作動回路１００によって受信される各々のモーメントを示している。
【００３０】
図２Ｂは、図２Ａと同様の図であるが、図２Ａの黒丸は、ノズル１８（１）〜１８（７）からの吐出が発生する時点を示す一方、図２Ｂの黒丸は、特定のノズル１８（１）〜１８（７）からの液滴が堆積される空間内のポイントを示している。したがって、図２Ｂの横軸は、堆積媒体に関するヘッド１０の相対移動の方向の距離に対応する。
【００３１】
本明細書に記載の液滴堆積装置は、ラベル、セラミックタイル、缶、ボトル、その他の成形品およびプリント基板などの広範囲の堆積媒体で使用できることを理解されたい。
【００３２】
図２Ａから明らかなように、吐出データ２１０（１）〜２１０（５）の各サブセットに対して、作動回路１００は、１つ以上のノズル１８（１）〜１８（７）からの液滴の繰り返し吐出を引き起こす。液滴を吐出する特定のノズルは、そこから吐出された液滴のサイズと同様に、吐出データ２１０（１）〜２１０（５）のサブセットのうちの各々１つによって決定される。たとえば、吐出データのサブセット２１０（１）に応答して、作動回路１００は、ノズル１８（１）、１８（２）、１８（６）および１８（７）に液滴の吐出を引き起こす。
【００３３】
図２Ａからも明らかなように、液滴を吐出する各ノズルは、Ｔ秒ごとに、つまり実質的に一定の１／Ｔの頻度で液滴を吐出する。図２Ｂから理解され得るように、そのような液滴の繰り返し吐出は、印刷媒体上に堆積される液滴の連続する列をもたらす。
【００３４】
さらに、図２Ａ〜図２Ｂおよび図３Ａ〜図３Ｂに示されている特定の例では、この吐出頻度は、吐出データの連続するサブセットに従って液滴を吐出するノズルに対して維持される（たとえば、サブセット２１０（３）および２１０（４）に従って液滴を吐出するノズル１８（３））。したがって、前のセットから生じる最終液滴と、後のセットから生じる最初の液滴との間の時間間隔はＴに等しい。
【００３５】
図１に簡潔に戻ると、示されるように、液滴吐出装置は、堆積媒体に関するヘッド１０の相対移動の現在の速度を示す、堆積媒体速度データ３１０を受信するよう構成されている。本明細書では、いくつかの実施形態では、堆積媒体がヘッド１０を通過して搬送されている間（例：コンベアベルト、リール、紙送りなどを使用して）、ヘッド１０は静止したままでもよく、一方、他の実施形態では、堆積媒体が静止したままで、（たとえば、電動キャリッジに取り付けることにより）ヘッド１０を移動させることができる（たとえば、ラピッドプロトタイピングまたは３Ｄ印刷アプリケーションのように）ことが想定される、堆積媒体に関するヘッド１０の相対移動の速度が参照される。実際に、両方のアプローチの組み合わせは、さらに他の実施形態においても採用され得る（たとえば、プリンタのスキャンプリントヘッドの場合など）。
【００３６】
図１に示す特定の例示的な実施形態では、堆積媒体速度データ３１０は、ヘッドコントローラ回路２００によって受信される。しかし、これは必須ではなく、他の実施形態では、ヘッド１０および／または作動回路１００が、堆積媒体速度データ３１０を受信するように構成されてもよい。
【００３７】
相対移動の現在の速度は、任意の好適な方法で堆積媒体速度データ３１０に示されてもよい。たとえば、堆積媒体速度データ３１０は、単に所定のユニット内の相対移動の現在の速度の値を含み得る。あるいは、堆積媒体速度データ３１０は、堆積媒体がヘッド１０に対して所定の増分の距離を移動するのにかかる時間の長さに対応する、または、逆に、堆積媒体速度データ３１０は、堆積媒体が時間内に所定の増分でヘッドに対して移動した距離に対応する（たとえば、媒体速度データは、移動中の媒体ウェブに関連付けられたロータリ位置エンコーダのレジストレーションマークに基づいて信号を検出することで提供される）。
【００３８】
液滴付着装置は、堆積媒体速度データ３１０を使用して、吐出データの１つのサブセットによる液滴の吐出から、一連における吐出データの次のサブセットによる液滴の吐出にいつ切り替えるかを決定する。具体的には、この切替えは、媒体速度データによって示されるように、堆積媒体に関するヘッドの相対移動の現在の速度に従って決定される時間において発生する。さらに、吐出データの連続するサブセットに従って液滴を吐出し始める間の時間間隔は、ヘッドの相対移動の現在の速度に反比例して変化する。
【００３９】
この切替えを図２Ａおよび図２Ｂに示す。たとえば、吐出データのサブセット２１０（１）に従って、作動回路１００は、ノズル１８（１）、１８（２）、１８（６）および１８（７）に液滴の吐出を引き起こす。次いで、装置は、吐出データのサブセット２１０（２）に従って液滴を吐出することに切り替わり、これにより、ノズル１８（３）〜１８（６）に液滴の吐出を引き起こす。装置は、次いで、吐出データのサブセット２１０（３）に従って液滴を吐出することに切り替わり、これにより、ノズル１８（１）〜１８（３）および１８（７）に液滴の吐出を引き起こす。その後、装置は、吐出データのサブセット２１０（４）に従って液滴を吐出することに切り替わり、ノズル１８（５）〜１８（７）に液滴の吐出を引き起こし、次いで、吐出データのサブセット２１０（５）に従って液滴を吐出するように切り替わり、ノズル１８（１）〜１８（７）に液滴の吐出を引き起こす。いずれの場合も、図面の上部にある矢印は、装置がその後すぐに示された吐出データのサブセットに切り替えることを示している。
【００４０】
図３Ａおよび図３Ｂは、吐出データ２１０（１）〜２１０（５）と同じ一連のサブセットによる、液滴の吐出を示すが、堆積媒体に関するヘッドの相対移動の速度が、時間に関する異なる方法で変化する状況のものである。時間に関する速度のこの異なる変化の結果として、装置によって受信される堆積媒体速度データ３１０は、各々の場合で異なる。
【００４１】
より詳細には、図２Ａに示す例では、ヘッドが吐出データのサブセット２１０（３）に従って液滴を吐出し始めた直後に、ヘッドの相対移動の速度が増加する。吐出データのサブセット２１０（４）および２１０（５）に従って液滴が吐出される間、速度はこの新しい、より高いレベルを維持する。
【００４２】
対照的に、図３Ａに示す例では、ヘッドが吐出データのサブセット２１０（２）に従って液滴を吐出し始めた直後に、ヘッドの相対移動の速度が増加する。吐出データのサブセット２１０（３）に従って液滴が吐出される間、次いで、速度はこの新しい、より高いレベルを維持するが、ヘッドが吐出データのサブセット２１０（４）に従って液滴の吐出を開始した直後に、元のレベルに戻る（スローダウンする）。
【００４３】
上述のように、吐出データの連続するサブセット２１０（１）〜２１０（５）に従って液滴を吐出し始める間の時間間隔は、ヘッドの相対移動の現在の速度に反比例して変化する。これは、図２Ａの上部にある矢印と図３Ａの上部にある矢印の異なる時点を比較すると明らかである。
【００４４】
図２Ｂおよび図３Ｂに注目すると、各々の場合における、堆積媒体上に形成される液滴のパターンが示されている。明らかであるように、相対移動の速度が増加する場合、同じサブセットの吐出データに基づく連続列間の間隔も増加する。たとえば、図２Ｂでは、サブセット２１０（１）に従って堆積された列間の間隔ｓ１は、サブセット２１０（３）に従って堆積された列間の間隔ｓ２よりも小さい。同様に、図３Ｂでは、サブセット２１０（１）に従って堆積された列間の間隔ｓ１は、サブセット２１０（２）に従って堆積された列間の間隔ｓ２よりも小さい。
【００４５】
しかしながら、相対移動速度と、吐出データの連続するサブセットに従って液滴の吐出し始める間の時間間隔との逆の関係の結果として、吐出データの任意の２つのサブセットに対応する液滴に対して、液滴の最初の列と最後の列の間の距離（相対移動の方向に）は、ほぼ同じである。たとえば、図２Ｂでは、サブセット２１０（１）に従って堆積された液滴の最初と最後の列の間の距離ｌ１は、サブセット２１０（３）に従って堆積された液滴の最初と最後の列の間の距離ｌ２とほぼ同じである。これは、上述のように、サブセット２１０（３）に従って配置された列の間隔ｓ２が大きいためである。
【００４６】
同様に、図３Ｂでは、サブセット２１０（２）に従って配置された列の間隔ｓ２が大きいため、サブセット２１０（１）に従って堆積された液滴の最初と最後の列の間の距離ｌ１は、サブセット２１０（２）に従って堆積された液滴の最初と最後の列の間の距離ｌ２とほぼ同じである。
【００４７】
したがって、本明細書に記載の液滴堆積装置は、ヘッドの相対移動の速度変化にかかわらず、液滴の所望のパターンの様々な部分について（ヘッドの相対移動の方向に）ほぼ同じサイズを維持できることが理解されるであろう。そのような速度変化は、たとえば、堆積媒体に対してヘッドを移動させるシステムまたは機構の可変性能に起因する場合があり、または堆積が発生している間に（たとえば、終業時間までに稼働を終えるために、ラベル、缶、ボトルなどの多数の物品に液滴を堆積させる途中で）、ユーザが意図的に相対移動の速度を上げることに起因する場合がある。
【００４８】
いくつかの実施形態では、上述の時間間隔は、相対移動の現在の速度に実質的に反比例する（または実質的にそうなる）ことがある。したがって、速度を２倍にすると、吐出データの連続するサブセットを送信する間の時間間隔が半分となる。（しかしながら、実際には、このような速度の変化は、目視では分からないように段階的に導入され得、液滴の総堆積体積が大きい場合は、特に耐用性良好である）。
【００４９】
他の実施形態において、時間間隔は、より複雑な数学関数または手順を堆積媒体速度データ３１０に適用することにより決定され得る。たとえば、そのような関数は、現在の速度（またはその推定値）の時間微分または積分である項を含み得る。たとえば、そのような関数は、ヘッドに関する堆積媒体の速度の現在の変化率（すなわち、現在の加速度）に対応する項を含み得る。これにより、実質的に、ヘッドコントローラ回路２００は、相対移動の速度の差し迫った変化を予測することが可能になり得る。これを達成するために、作動回路１００は、たとえば、一定量の最近の堆積媒体速度データ３１０を（たとえば、データバッファに）保存し得る。
【００５０】
上述のように、吐出データ２１０（１）〜２１０（５）の各サブセットに対して、作動回路１００は、特定のノズルから液滴の繰り返し吐出を引き起こし、媒体上に連続する液滴の列を堆積する。上述の通り、ヘッドが、吐出データの連続するサブセット２１０（１）〜２１０（５）に従って液滴を吐出することに切り替わるとき、吐出データの現在のサブセット２１０（１）〜２１０（５）に従った液滴は、吐出を停止される。いくつかの実施形態では、作動回路１００は、液滴を吐出する１つ以上のノズルのうちの少なくとも１つがＭｘ（またはそれ以上）の液滴を吐出し、Ｍｘが液滴の適切な大きさの最大数に対応する場合、吐出データの現在のサブセットに従って液滴の繰り返し吐出を中止するように構成され得る。加えて、または代わりに、吐出データの現在のサブセット２１０（１）〜２１０（５）は、たとえば故障状態および／またはユーザ入力の結果として、作動回路１００が「停止」コマンドを受信することに応答して吐出が停止され得る。このような「停止」コマンドは、他の割込み条件よりも優先され得る。
【００５１】
ここで、堆積媒体速度データ３１０を使用して、吐出データの１つのサブセットによる液滴吐出から、一連における吐出データの次のサブセットによる液滴吐出への切替えを制御するアプローチの特定の例を説明する。
【００５２】
上述のように、図１に示す特定の例示的な実施形態では、堆積媒体速度データ３１０は、ヘッドコントローラ回路２００によって受信される。従って、ヘッドコントローラ回路２００は、入力データ６１０と堆積媒体速度データ３１０との両方を受信する。また上述したように、ヘッドコントローラ回路２００は、入力セット６１０に基づいて一連のサブセット２１０（１）〜（３）の吐出データを生成するように作用し、これらを作動回路１００に送信する。発明者らは、装置が、吐出データの各サブセット２１０（１）〜（３）をトリガ信号として都合よく使用するように構成され得ると考えており、これにより、作動回路１００は、次に利用可能な機会に吐出データの最近到着したサブセット２１０（１）〜（３）に従って液滴の吐出の開始を引き起こす。
【００５３】
たとえば、これは、作動回路１００の好適な構成により達成され、たとえば、吐出データのサブセット２１０（１）〜（３）の到着をトリガ信号として黙示的に処理する。あるいは、これは、吐出データの各サブセット２１０（１）〜（３）に、データに従った液滴がすぐに吐出されるべきであることを示すコード（「ファイアコード」と呼ばれることもある）を含めることにより達成され得る。
【００５４】
吐出データのサブセット２１０（１）〜（３）をトリガ信号として使用して切替えを達成するには、吐出データの連続するサブセット２１０（１）〜（３）を送信する時間間隔は、相対移動の現在の速度に反比例して変化するべきであると提案する。したがって、堆積媒体速度が増加する場合、吐出データのサブセット２１０（１）〜（３）を作動回路１００に送信することが必要とされる頻度も同様に増加する必要がある（および、逆に、吐出データの連続するサブセットを送信する間の必要な時間間隔を短くする必要がある）。相対移動速度の変化にもかかわらず、こうした逆の関係は、相対移動の方向に同様の長さを有する堆積媒体上の各々の領域を占有する吐出データ２１０（１）〜（３）の任意の２つのサブセットからの液滴をもたらし得る。
【００５５】
この切替えの特定のアプローチは、図２Ａ〜図２Ｂおよび図３Ａ〜図３Ｂに示す実施例において実装される。具体的には、図２Ａおよび図３Ａの矢印は、吐出データの示されたサブセット２１０（１）〜（５）が作動回路１００に到着する時間を示すと理解され得る。明らかであるように、吐出データの各サブセット２１０（１）〜（５）が作動回路１００に到着した直後に、ノズル１８（１）〜（７）は対応するパターンで液滴を吐出する。
【００５６】
上述のように、各ノズルは、実質的に一定の頻度１／Ｔで液滴を吐出する。ヘッド１０は、吐出データの現在のサブセットによって決定された１つ以上のノズルの各々が単一の液滴を吐出する、作動サイクルに従って動作していると見なされ得る。吐出データのサブセットが、こうした作動サイクルの途中で作動回路１００に到着する場合、作動回路１００は、最近受信した吐出データのサブセットに従って駆動波形を適用する前に、現在の作動サイクルが完了するまで待機するように構成され得る。たとえば、図２Ａでは、サブセット２１０（４）が作動サイクルの途中に到着すると、それに従い、作動回路１００は、吐出データの現在のサブセット２１０（３）に対応するノズル１８（１）〜（３）および１８（７）の各々から液滴が吐出されるまで待機する。
【００５７】
これを容易にするために、作動回路１００は、現在の作動サイクルが完了するまで、新しく到着した吐出データのサブセットを保存するためのバッファを含み得る。さらに、いくつかの実施形態では、このバッファを使用して作動回路１００に信号を送り、新しく到着した吐出データのサブセットに従って液滴を吐出することに切り替え得る。たとえば、作動回路１００は、新たに到着した吐出データのサブセットを受信したことをバッファが示すまで、吐出データの現在のサブセットに従って液滴を吐出し続けることを引き起こし得る。
【００５８】
図１に示される特定の例示的な実施形態では、吐出データの入力セット６１０は、液滴吐出値６１５の二次元アレイを表す。そのような液滴吐出値は、たとえば、吐出されている液滴の量を示し得（たとえば、０は吐出されている液滴がないことに対応し、Ｍは最大サイズの液滴に対応する場合に、０〜Ｍの整数値を考慮する）、またはアレイ（たとえば、対応する作動要素２２が特定の方法で作動されるべきノズル）内のノズルの特定のグループを示し得る。二次元アレイ６１５の各部材は、実際にはいくつかの異なるタイプの吐出値の各々に対応する各々の値を含み得る。
【００５９】
各液滴サイズ値は、０〜Ｍの任意の整数値を取り得る。あるいは、各液滴サイズ値は０またはＭのいずれかであり、任意選択的でＭ＝１である。図１に示すような実施形態では、吐出データの入力セット６１０が、液滴吐出値６１５の二次元アレイを表す場合、一連における吐出データの連続サブセット（たとえば、２１０（１）と２１０（２）、または２１０（２）と２１０（３））は、二次元アレイの連続するスライス６１６（１）〜６１６（３）に基づいて決定され得る。したがって、スライス６１６（１）〜６１６（３）の順序付けは、結果として得られる吐出データのサブセット２１０（１）〜２１０（３）の順序付けと同じであり得る。図面から明らかであるように、図１に示す特定の例示的な実施形態では、各スライス６１６（１）〜６１６（３）は線形アレイであり、すなわち、１つのアレイのみの部材幅である（これは必須ではなく、代わりにスライスは２つ以上の部材幅であり得る）。
【００６０】
したがって、二次元アレイのスライスの各々は、一次元アレイであり得る。
【００６１】
吐出データ２１０のサブセットの生成において、さまざまなデータ処理が行われ得る。たとえば、吐出データ６１０の入力セットの各列（または行）がヘッド１０の各々のノズルに対応する場合、吐出データの各サブセットが、その列（または行）の吐出値を単に表し得る。あるいは、たとえば、吐出データ２１０のサブセットの各々が、作動要素２２ごとを基準とした、すなわち、各ノズル１８ではなく、各作動要素２２に対する吐出値を用いて吐出値を表すことが望まれる場合、なんらかの変換を行い得る。
【００６２】
ここで図４に注目すると、図４は、さらなる例示的な実施形態による液滴吐出装置を概略的に示すブロック図である。図４の液滴堆積装置は、図１に示されたものに基づいており、従って、以下で記載する場合を除いて、実質的に同じ方法で動作する。
【００６３】
図面から分かるように、図４に示す液滴堆積装置は、図１の液滴堆積装置と同様に、液滴堆積ヘッド１０、ならびに関連付けられた作動回路１００およびヘッドコントローラ回路２００を含む。しかし、図１の液滴堆積装置とは対照的に、図４の例示的な実施形態はさらに、媒体搬送システム５００およびサーバ６００を含む。これらは、堆積媒体速度データ３１０および液滴吐出データ６１０をヘッドコントローラ回路２００に各々提供する。
【００６４】
前述のように、堆積媒体速度データ３１０は、堆積媒体堆積媒体速度データ３１０に関するヘッド１０の相対移動の現在の速度を示し、一方で液滴吐出データ６１０は、液滴特性のための二次元アレイ値６１５を表す。
【００６５】
図４に示すように、堆積媒体速度データ３１０は、堆積媒体速度値を表すデータを含んでもよい。上述のように、これは、特定の所定の単位（たとえば、ｍ／ｓ）における現在の速度、堆積媒体がヘッド１０に対して所定の増分の距離を移動するのにかかる時間の長さ、または、堆積媒体が時間内に所定の増分でヘッドに対して移動した距離に対応する（たとえば、媒体速度データは、移動中の媒体ウェブに関連付けられた回転位置エンコーダのレジストレーションマークに基づいて信号を検出することで提供される）。
【００６６】
図４にさらに図示すように、（たとえば、堆積媒体が移動している間、ヘッド１０が静止したままである実施形態において）、コンベヤベルト、リール、または紙フィードを駆動するため、または、（たとえば、堆積媒体が静止している間に、ヘッド１０が動かされる実施形態において）ヘッド１０が取り付けられているキャリッジを駆動するため、媒体搬送システム５００は、いくつかのモータ５２０を含み得る。
【００６７】
また、示されるように、媒体搬送システム５００は、コンベヤベルトまたはリールの軸などの媒体搬送システム５００内の回転要素の現在の回転位置を示す信号を提供するロータリエンコーダ５１０をさらに含み得る。ロータリエンコーダ５１０からのこの信号は、たとえば、媒体速度データ３１０としてヘッドコントローラ回路２００に送信され得る。あるいは、エンコーダ５１０からの信号は、現在の速度値を提供するように処理することができ（たとえば、媒体搬送システム５００の一部を形成する１つ以上のプロセッサによって）媒体速度データ３１０は、このように計算された速度値を表すデータを含む媒体搬送システム５００によって送信される。
【００６８】
サーバ６００に関しては、これは、ユーザによって提供されたデータを、装置内で使用するための好適な液滴吐出データ６１０に変換し得る。たとえば、液滴堆積装置がプリンタとして構成されている場合、ユーザは、たとえば、画像ファイルの形式でデータを提供し、サーバ６００で、たとえば、ラスターイメージプロセッサー（ＲＩＰ）（サーバ６００の汎用プロセッサで実行されるソフトウェアとして、または専用プロセッサとして実装され得る）を使用することにより、このデータを対応する液滴吐出データ６１０に変換する。この変換は、たとえば、データの空間解像度を高めると同時に、データのトーン解像度を下げることを伴い（画像には通常、ピクセルごとに２５６のレベルを有するが、プリントヘッドには通常、各液滴で最大８つのサイズしか使えない）、トーン解像度の低下を補う。類似のデータ変換プロセスは、液滴堆積装置がラピッドプロトタイピングまたは３Ｄ印刷アプリケーションなどの他のアプリケーション用に構成されているサーバ６００で実行し得る。
【００６９】
図４は加えて、アクチュエータ２２（３）および２２（Ｎ）にそれぞれ適用する駆動波形１１０（３）および１１０（Ｎ）を示す。図示されるように、各駆動波形１００は、いくつかののパルスを含むが、アクチュエータ２２（３）に適用される駆動波形１１０（Ｎ）は、アクチュエータ２２（Ｎ）に適用される駆動波形１１０（Ｎ）よりも少ないパルスを含む。各駆動波形に応答して吐出される液滴の量は、対応するノズル１８（３）および１８（Ｎ）によって吐出された異なるサイズの液滴によって概略的に図示されるパルス数に正の関係がある。駆動波形を好適に設計することで、液滴の量が駆動波形１１０のパルス数に略比例し得る。
【００７０】
図５は、図１および図４を参照しながら上述した、液滴堆積装置のさらなる例示的な実施形態を図示するブロック図であるが、作動回路１００が２つの別個の構成要素によって設けられている。
【００７１】
図面に示すように、作動回路１００は、作動制御回路１２０および波形生成回路１１０を含むと見なされ得る。作動制御回路１２０は、概して上述の方法で、ヘッドコントローラ回路２００から吐出データの一連のサブセット２１０（１）〜（３）を受信する。
【００７２】
吐出データの各サブセット２１０（１）〜（３）に対して、作動制御回路１２０は、対応する作動コマンドのセットを生成する。次いで、作動コマンドのセットは各々、ヘッド１０の一部（すなわち、オンボード）として提供される波形生成回路１１０に繰り返し送信される。作動コマンドの各セットにより、波形生成回路１１０が、ノズル１８（１）〜（Ｎ）から一定の液滴を吐出するように、ヘッド１０の作動要素２２（１）〜（Ｎ）に駆動波形の適用を引き起こす。特定のノズル１８（１）〜（Ｎ）およびそこから吐出された液滴のサイズは、作動コマンドのセット、したがって、関連する吐出データのサブセット２１０（１）〜（３）によって決定される。
【００７３】
このようにして、各そのような作動コマンドのセットの送信は、媒体上の液滴の対応する列の堆積をもたらす。したがって、作動コマンドの特定のセットの繰り返し送信は、媒体上の液滴の連続する列の堆積をもたらす。前述のように、これには、各ノズルがほぼ一定の頻度１／Ｔで液滴を繰り返し吐出することを伴う。
【００７４】
一般的なレベルでは、作動制御回路１２０は、トリガ信号を受信し、それに応じて作動コマンドのセット間を切り替えると見なされ得る。より具体的には、吐出データの現在のサブセット２１０（１）〜（３）に従って作動コマンドを送信することから、そのようなトリガ信号に従って決定された時間において、一連における吐出データの連続サブセット２１０（１）〜（３）に従って作動コマンドを送信することに切り替わる。
【００７５】
図５に示す特定の例示的な実施形態では、吐出データの各サブセット２１０（１）〜（３）の到着は、対応するトリガ信号として黙示的に機能し、したがって、次に利用な可能な機会の吐出データのサブセットに従って（たとえば、ヘッドの現在の作動サイクルが完了したら）作動制御回路１２０のセットの送信開始を引き起こす。しかしながら、他の実施形態では、作動回路１２０は、堆積媒体速度データ３１０を受信するように（たとえば、図４を参照して上述したロータリエンコーダ５１０への接続によって）構成されてもよく、このような堆積媒体速度データ３１０は、作動コマンドのセット間の切替えのためのトリガ信号を提供する。
【００７６】
図６は、図５に示されたものとは異なる方法ではあるが、この場合も、作動回路１００が２つの別個の構成要素によって提供される、さらなる実施形態例を示している。具体的には、作動回路１００の作動制御回路１２０（一般に、図５を参照して上述したのと同じ方法で、作動コマンドのセットを生成する）、およびヘッドコントローラ回路２００は、両方とも吐出データ処理構成要素２０上に提供される。図５の例示的な実施形態と同様に、波形生成回路１１０は、ヘッド１０の一部（すなわち、オンボード）として提供される。
【００７７】
したがって、図１、図５および図６の例示的な実施形態から、好適なヘッドコントローラ回路２００、波形生成回路１１０、作動制御回路１２０は、集積回路（たとえば、特定用途向け集積回路、ＡＳＩＣ、フィールドプログラマブルゲートアレイ、ＦＰＧＡ、システムオンチップ、ＳｏＣ、デバイス）の様々なアレンジなどの、構成要素の様々な組み合わせを使用して実装され得ることが理解されるであろう。
【００７８】
前述の説明の一般性から、本明細書に開示される装置、回路および方法は、広範囲の液滴堆積ヘッドを利用し得ることが理解されよう。例として、出願人の以前の特許出願公開ＷＯ００／３８９２８、ＷＯ２００７／１１３５５４、ＷＯ２０１６／００１６７９、ＷＯ２０１６／１５６７９２、ＷＯ２０１６／１９３７４９、ＷＯ２０１７／１１８８４３に開示されるようなヘッドのみが利用され得る。
【００７９】
先述の説明は、いくつかの例を提示したが、他の例およびバリエーションは、添付の請求の範囲内であると考えられることは理解されるべきである。
【００８０】
先述の説明が、本発明の当業者の理解を支援し、かつ本発明がどのように実施され得るかを実証するいくつかの非限定的な例を提供するよう意図されていることに留意されたい。
【図１】
2020535035.tif 000003
【図２Ａ】
2020535035.tif 000004
【図２Ｂ】
2020535035.tif 000005
【図３Ａ】
2020535035.tif 000006
【図３Ｂ】
2020535035.tif 000007
【図４】
2020535035.tif 000008
【図５】
2020535035.tif 000009
【図６】
2020535035.tif 000010
【手続補正書】
【提出日】令和2年6月5日(2020.6.5)
【手続補正１】
【補正対象書類名】明細書
【補正対象項目名】００６５
【補正方法】変更
【補正の内容】
【００６５】
図４に示すように、堆積媒体速度データ３１０は、堆積媒体速度値を表すデータを含んでもよい。上述のように、これは、特定の所定の単位（たとえば、ｍ／ｓ）における現在の速度、堆積媒体がヘッド１０に対して所定の増分の距離を移動するのにかかる時間の長さ、または、堆積媒体が時間内に所定の増分でヘッドに対して移動した距離に対応する（たとえば、媒体速度データは、移動中の媒体ウェブに関連付けられた回転位置エンコーダのレジストレーションマークに基づいて信号を検出することで提供される）。
【手続補正２】
【補正対象書類名】明細書
【補正対象項目名】００６９
【補正方法】変更
【補正の内容】
【００６９】
図４は加えて、アクチュエータ２２（３）および２２（Ｎ）にそれぞれ適用する駆動波形１１０（３）および１１０（Ｎ）を示す。図示されるように、各駆動波形１１０は、いくつかののパルスを含むが、アクチュエータ２２（３）に適用される駆動波形１１０（３）は、アクチュエータ２２（Ｎ）に適用される駆動波形１１０（Ｎ）よりも少ないパルスを含む。各駆動波形に応答して吐出される液滴の量は、対応するノズル１８（３）および１８（Ｎ）によって吐出された異なるサイズの液滴によって概略的に図示されるパルス数に正の関係がある。駆動波形を好適に設計することで、液滴の量が駆動波形１１０のパルス数に略比例し得る。
【手続補正３】
【補正対象書類名】特許請求の範囲
【補正対象項目名】全文
【補正方法】変更
【補正の内容】
【特許請求の範囲】
【請求項１】
液滴吐出装置であって、
作動要素のアレイと、対応するノズルのアレイと、を備える、液滴堆積ヘッドと、
作動回路であって、前記作動要素に駆動波形を適用するように構成されており、それにより前記ヘッドに対して相対的に移動される堆積媒体上への前記ノズルのアレイを通して前記液滴の形態の流体の前記吐出を引き起こす、作動回路と、
ヘッドコントローラ回路であって、
吐出データの入力セットを受信するように、
前記入力セットに基づいて、吐出データの一連のサブセットを生成するように、かつ、
前記吐出データの一連のサブセットを前記作動回路に送信するように構成されている、ヘッドコントローラ回路と、を備え、
前記作動回路が、吐出データの各サブセットに対して、それらが１つ以上のノズルから液滴を繰り返し吐出し、それにより連続する液滴の列を堆積するように、前記作動要素に駆動波形を適用するようにさらに構成されており、前記１つ以上のノズルおよびそこから吐出された前記液滴のサイズが、前記吐出データの現在のサブセットによって決定され、前記１つ以上のノズルの各々が、実質的に一定の頻度１／Ｔで液滴を吐出し、
前記装置が、前記堆積媒体に関する前記ヘッドの相対移動の現在の速度を示す、堆積媒体速度データを受信するように構成されており、
前記装置は、前記ヘッドが、吐出データの現在のサブセットに従って液滴を吐出することから、前記媒体速度データに従って決定された時間において、前記一連における吐出データの連続サブセットに従って液滴を吐出することに切り替わるように構成されており、吐出データの連続するサブセットに従って液滴を吐出し始める時間間隔が、前記ヘッドの相対移動の前記現在の速度に反比例して変化する、液滴吐出装置。
【請求項２】
前記ヘッドコントローラ回路が、前記堆積媒体速度データを受信するように構成されており、
好ましくは、前記ヘッドコントローラ回路が、前記堆積媒体速度データに示された前記堆積媒体に関する前記ヘッドの相対移動の前記現在の速度に従って決定された時間において、前記作動回路に吐出データの各サブセットを送信するようにさらに構成されており、吐出データの連続するサブセットを送信する前記時間間隔が、前記ヘッドの相対移動の前記現在の速度とは略反比例し、
前記作動回路が、吐出データのサブセットを受信すると、次に利用可能な機会において、吐出データの当該サブセットに従って前記作動要素に駆動波形を適用するように構成されている、請求項１に記載の装置。
【請求項３】
前記吐出データの入力セットが、液滴吐出値の二次元アレイを表し、
前記一連における吐出データの連続サブセットが、前記二次元アレイの連続するスライスに基づいて決定され、
好ましくは、前記二次元アレイの前記スライスの各々が、一次元アレイである、請求項１または２に記載の装置。
【請求項４】
吐出データの各サブセットが、各ノズルに対して、当該ノズルによって吐出される液滴の前記サイズに対応する値を定義し、各液滴サイズ値が、吐出無しに対応する０〜最大液滴サイズに対応するＭである、請求項１〜３のいずれか１項に記載の装置。
【請求項５】
各液滴サイズ値が、０〜Ｍの任意の整数値を取り得る、請求項４に記載の装置。
【請求項６】
各液滴サイズ値が、０またはＭのいずれかであり得、任意選択的にＭ＝１である、請求項４に記載の装置。
【請求項７】
前記ヘッドコントローラ回路が、前記吐出データの一連のサブセットを前記作動回路に送信する前に、前記吐出データの一連のサブセットの実質的に全体を生成するように構成されている、請求項１〜６のいずれか１項に記載の装置。
【請求項８】
前記作動回路は、液滴を吐出する前記１つ以上のノズルのうちの少なくとも１つがＭｘ滴を吐出すると、前記吐出データの現在のサブセットによって決定された液滴の前記繰り返し吐出を中止するようにさらに構成されており、Ｍｘが、液滴の最大数に対応する、請求項１〜７のいずれか１項に記載の装置。
【請求項９】
前記作動回路が、「停止」コマンドに応答して、前記吐出データの現在のサブセットによって決定された前記液滴の繰り返し吐出を中止するようにさらに構成されている、請求項１〜８のいずれか１項に記載の装置。
【請求項１０】
前記吐出データの現在のサブセットに従って液滴を繰り返し吐出する前記１つ以上のノズルの各々に対して、問題となる前記ノズルから吐出された各液滴が、実質的に同じサイズである、請求項１〜９のいずれか１項に記載の装置。
【請求項１１】
吐出データの連続するサブセットに従って、液滴を吐出する各ノズルに対して、前のセットから生じる最終の液滴と、後のセットから生じる最初の液滴との間の前記時間間隔が実質的にＴに等しい、請求項１〜１０のいずれか１項に記載の装置。
【請求項１２】
吐出データの各サブセットに応答して、前記ヘッドが作動サイクルに従って動作し、その間、前記吐出データの現在のサブセットによって決定された前記１つ以上のノズルの各々が液滴を吐出し、
前記作動回路が、吐出データの現在のサブセットに従って、前記作動要素に駆動波形を適用しながら吐出データのさらなるサブセットを受信する場合、前記作動回路が、前記吐出データのさらなるサブセットに従って、前記作動要素に駆動波形を適用する前に、現在の作動サイクルが完了するまで待機するようにさらに構成されており、
任意選択的に、前記作動回路が、前記現在の作動サイクルが完了するまで、そのような各吐出データのさらなるサブセットを保存するように構成されたバッファを備える、請求項１〜１１のいずれか１項に記載の装置。
【請求項１３】
作動サイクルに従って前記作動要素に適用された前記駆動波形の全てが、時間内に、好ましくは、実質的に完全にオーバーラップする、請求項１２に記載の装置。
【請求項１４】
作動要素のアレイと、対応するノズルのアレイと、を備える、液滴堆積ヘッドのための制御回路であって、
吐出データの入力セットを受信するように、
前記入力セットに基づいて吐出データの一連のサブセットを生成するように、
前記堆積媒体に関する前記ヘッドの相対移動の前記現在の速度を示す、堆積媒体速度データを受信するように、かつ、
前記吐出データの一連のサブセットおよびそれぞれの吐出コマンドを、前記液滴堆積ヘッドの作動回路に送信するように構成されており、前記吐出コマンドが、前記堆積媒体速度データに示されている前記堆積媒体に関する前記ヘッドの相対移動の前記現在の速度に従って決定された時間において送信され、吐出データの連続するサブセットを送信する時間間隔が、前記ヘッドの相対移動の前記現在の速度とは略反比例して変化し、
前記作動回路が、吐出コマンドの各セットに対して、１つ以上の前記ノズルから液滴を繰り返し吐出し、それにより連続する液滴の列を堆積するように、前記作動要素に駆動波形を適用するように構成されており、前記１つ以上のノズルおよびそこから吐出された前記液滴のサイズが、前記吐出データの現在のサブセットによって決定され、前記１つ以上のノズルの各々が、実質的に一定の頻度１／Ｔで液滴を吐出する、制御回路。
【請求項１５】
吐出データの各サブセットが、前記それぞれの作動コマンドとして黙示的に機能する、請求項１４に記載の制御回路。
【請求項１６】
吐出データの各サブセットが、前記対応する作動コマンドと同時に送信される、請求項１４に記載の制御回路。
【請求項１７】
前記吐出データの入力セットが、液滴吐出値の二次元アレイを表し、
前記一連における吐出データの連続サブセットが、前記二次元アレイの連続するスライスに基づいて決定され、
好ましくは、前記二次元アレイの前記スライスの各々が、一次元アレイである、請求項１４〜１６のいずれか１項に記載の制御回路。
【請求項１８】
吐出データの各サブセットが、各々のノズルに対して、当該ノズルによって吐出される液滴の前記サイズに対して対応する値を定義し、各液滴サイズ値が、吐出無しに対応する０〜最大液滴サイズに対応するＭである、請求項１４〜１７のいずれか１項に記載の制御回路。
【請求項１９】
前記吐出データの一連のサブセットを前記作動回路に送信する前に、前記吐出データの一連のサブセットの実質的に全体を生成するように構成されている、請求項１４〜１８のいずれか１項に記載の制御回路。
【請求項２０】
作動要素のアレイと、対応するノズルのアレイと、を備える、液滴堆積ヘッドのための作動制御回路であって、
吐出データの入力セットに基づく、吐出データの一連のサブセットの各々を受信するように構成されており、
トリガ信号を受信するように構成されており、
前記吐出データのサブセットの各々に対して、前記液滴堆積ヘッドに対する波形生成回路へ、対応する作動コマンドのセットを繰り返し送信するように構成されており、作動コマンドの各セットが、１つ以上のノズルからの液滴を吐出するように、前記波形生成回路に、前記作動要素への駆動波形の適用を引き起こし、前記１つ以上のノズルおよびそこから吐出された前記液滴のサイズが、前記吐出データの対応するサブセットによって決定され、前記作動コマンドのセットを前記繰り返し送信することが、前記１つ以上のノズルの各々の実質的に一定の頻度１／Ｔでの液滴の繰り返し吐出を引き起こし、それにより連続する液滴の列を堆積し、かつ、
吐出データの現在のサブセットに従って作動コマンドを送信することから、前記トリガ信号に従って決定された時間において、前記一連における吐出データの連続サブセットに従って作動コマンドを送信することに切り替わるように、構成されている、作動制御回路。
【請求項２１】
吐出データの各サブセットの到着が、対応するトリガ信号として黙示的に機能し、前記作動制御回路が、次に利用可能な機会において、前記吐出データのサブセットに従って作動コマンドのセットの送信開始を引き起こす、請求項２０に記載の作動制御回路。
【請求項２２】
前記トリガ信号が、前記堆積媒体に関する前記ヘッドの相対移動の前記現在の速度を示す、堆積媒体速度データによって提供され、
前記作動制御回路が、吐出データの現在のサブセットに従って作動コマンドを送信することから、前記媒体速度データに従って決定された時間において、前記一連における吐出データの連続サブセットに従って、作動コマンドを送信することに切り替わるように構成されており、吐出データの連続するサブセットに従って作動コマンドを送信し始める時間間隔が、前記ヘッドの相対移動の前記現在の速度に反比例して変化する、請求項２０に記載の作動制御回路。
【請求項２３】
液滴を吐出する前記１つ以上のノズルのうちの少なくとも１つがＭｘ滴を吐出すると、作動コマンドのセットを繰り返し送信することを中止するように構成されており、Ｍｘが、液滴の最大数に対応する、請求項２０〜２２のいずれか１項に記載の作動制御回路。
【請求項２４】
「停止」コマンドに応答して、作動コマンドのセットを繰り返し送信することを中止するように構成されている、請求項２０〜２３のいずれか１項に記載の作動制御回路。
【請求項２５】
吐出コマンドのセットに応答して液滴を繰り返し吐出する前記１つ以上のノズルの各々に対して、問題となる前記ノズルから吐出された各液滴が、実質的に同じサイズであり、
作動コマンドの各セットに応答して、前記ヘッドが作動サイクルに従って動作し、その間、前記現在の作動コマンドによって決定された前記１つ以上のノズルの各々が液滴を吐出する、請求項２０〜２４いずれか１項に記載の作動制御回路。
【請求項２６】
吐出データの現在のサブセットに従って、作動コマンドを前記波形生成回路に送信しながら吐出データのさらなるサブセットを受信する場合、前記作動制御回路が、前記吐出データのさらなるサブセットに従って、作動コマンドを前記波形生成回路に送信する前に、前記現在の作動サイクルが完了するまで待機するように構成されており、
任意選択的に、前記作動制御回路が、前記現在の作動サイクルが完了するまで、そのような各吐出データのさらなるサブセットを保存するように構成されたバッファを備える、請求項２５に記載の作動制御回路。
【請求項２７】
作動要素のアレイと、対応するノズルのアレイと、を備える、液滴堆積ヘッドのための作動回路であって、
吐出データの入力セットに基づく、吐出データの一連のサブセットの各々を受信するように構成されており、
トリガ信号を受信するように構成されており、
１つ以上のノズルから液滴の前記繰り返し吐出を引き起こし、それにより連続する液滴の列を堆積するように、前記作動要素に対する駆動波形を生成するように構成されており、前記１つ以上のノズルおよびそこから吐出された前記液滴のサイズが、前記吐出データの現在のサブセットによって決定され、前記１つ以上のノズルの各々は、実質的に一定の頻度１／Ｔで液滴を吐出し、かつ、
吐出データの現在のサブセットに従って駆動波形を生成することから、前記トリガ信号に従って決定された時間において、前記一連における吐出データの連続サブセットに従って駆動波形を生成することへ切り替えるように、構成されている、作動回路。
【請求項２８】
吐出データの各サブセットの前記到着が、対応するトリガ信号として黙示的に機能し、前記作動回路が、次に利用可能な機会において、吐出データの当該サブセットに従って駆動波形の生成の開始を引き起こす、請求項２７に記載の作動回路。
【請求項２９】
前記トリガ信号が、前記堆積媒体に関する前記ヘッドの相対移動の前記現在の速度を示す、堆積媒体速度データによって提供され、
前記作動回路が、吐出データの現在のサブセットに従って駆動波形を生成することから、前記媒体速度データに従って決定された時間において、前記一連における吐出データの連続サブセットに従って、駆動波形を生成することに切り替わるように構成されており、吐出データの連続するサブセットに従って駆動波形を生成し始める時間間隔が、前記ヘッドの相対移動の前記現在の速度に反比例して変化する、請求項２７に記載の作動回路。
【請求項３０】
液滴を吐出する前記１つ以上のノズルのうちの少なくとも１つがＭｘ滴を吐出すると、駆動波形を生成することを中止するように構成されており、Ｍｘが、液滴の最大数に対応する、請求項２７〜２９のいずれか１項に記載の作動回路。
【請求項３１】
「停止」コマンドに応答して、駆動波形を生成することを中止するように構成されている、請求項２７〜３０のいずれか１項に記載の作動回路。
【請求項３２】
前記吐出データの現在のサブセットに従って液滴の繰り返し吐出が引き起こされる前記１つ以上のノズルの各々に対して、問題となる前記ノズルから吐出された各液滴が、実質的に同じサイズである、請求項２７〜３１のいずれか１項に記載の作動回路。
【請求項３３】
吐出データの各サブセットに対して、駆動波形が作動サイクルに従って生成され、その間、前記吐出データの現在のサブセットによって決定された前記１つ以上のノズルの各々が液滴を吐出し、
かつ、前記作動回路が、吐出データの現在のサブセットに従って、駆動波形を生成しながら吐出データのさらなるサブセットを受信する場合、前記作動回路が、前記吐出データのさらなるサブセットに従って、駆動波形を生成する前に、前記現在の作動サイクルが完了するまで待機するようにさらに構成されており、
任意選択的に、前記作動回路が、前記現在の作動サイクルが完了するまで、そのような各吐出データのさらなるサブセットを保存するように構成されたバッファを備える、請求項２７〜３２のいずれか１項に記載の作動回路。
【請求項３４】
作動要素のアレイおよび対応するノズルのアレイを備える、液滴堆積ヘッドを使用して、液滴を吐出するための方法であって、
吐出データの入力セットを受信することと、
前記入力セットに基づいて吐出データの一連のサブセットを生成することと、
堆積媒体に関する前記ヘッドの相対移動の前記現在の速度を示す、堆積媒体速度データを受信することと、
前記ヘッドを前記堆積媒体に対して移動させながら、前記ヘッドを吐出データの各サブセットに従って順番に動作することであって、
吐出データの各サブセットに対して、液滴の連続する列を堆積するように前記アレイ内の１つ以上のノズルから液滴を繰り返し吐出することであって、前記１つ以上のノズルおよびそこから吐出された前記液滴のサイズが、前記吐出データの現在のサブセットによって決定され、前記１つ以上のノズルの各々は、実質的に一定の頻度１／Ｔで液滴を吐出する、ことと、かつ、
ある吐出データのサブセットに従って液滴を吐出することから、前記媒体速度データによって示された、前記堆積媒体に関する前記ヘッドの相対移動の前記現在の速度に従って決定された時間において、吐出データの前記連続サブセットに従って液滴を吐出することに切り替わること、とを含む、動作すること、とを含み、吐出データの連続するサブセットに従って液滴を吐出し始める時間間隔が、前記ヘッドの相対移動の前記現在の速度に反比例して変化する、方法。
【請求項３５】
前記吐出データの入力セットが、液滴吐出値の二次元アレイを表し、
前記一連における吐出データの連続サブセットが、前記二次元アレイの連続するスライスに基づいて決定され、
好ましくは、前記二次元アレイの前記スライスの各々が、一次元アレイである、請求項３４に記載の方法。
【請求項３６】
吐出データの各サブセットが、各々のノズルに対して、当該ノズルによって吐出される前記液滴のサイズに対して対応する値を定義し、各液滴サイズ値が、吐出無しに対応する０〜最大液滴サイズに対応するＭである、請求項３４または３５に記載の方法。
【請求項３７】
前記吐出データの一連のサブセットを前記作動回路に送信する前に、前記吐出データの一連のサブセット全体が実質的に生成される、請求項３４〜３６のいずれか１項に記載の方法。
【請求項３８】
液滴を吐出する前記１つ以上のノズルのうちの少なくとも１つがＭｘ滴を吐出すると、前記吐出データの現在のサブセットによって決定された前記液滴の繰り返し吐出を中止することを、さらに含み、Ｍｘが、液滴の最大数に対応する、請求項３４〜３７のいずれか１項に記載の方法。
【請求項３９】
「停止」コマンドに応答して、前記吐出データの現在のサブセットによって決定された前記液滴の繰り返し吐出を中止することを、さらに含む、請求項３４〜３８のいずれか１項に記載の方法。
【請求項４０】
前記吐出データの現在のサブセットに従って液滴を繰り返し吐出する前記１つ以上のノズルの各々に対して、問題となる前記ノズルから吐出された各液滴が、実質的に同じサイズである、請求項３４〜３９のいずれか１項に記載の方法。
【請求項４１】
吐出データの連続するサブセットに従って、液滴を吐出する各ノズルに対して、前のセットから生じる前記最終の液滴と、後のセットから生じる前記最初の液滴との間の前記時間間隔が実質的にＴに等しい、請求項３４〜４０のいずれか１項に記載の方法。
【請求項４２】
吐出データの各サブセットに応答して、前記ヘッドが作動サイクルに従って動作し、その間、前記吐出データの現在のサブセットによって決定された前記１つ以上のノズルの各々が液滴を吐出する、請求項３４〜４１のいずれか１項に記載の方法。
【国際調査報告】
2020535035.tif 000011
2020535035.tif 000012
2020535035.tif 000013